(57)【要約】      （修正有）【課題】高周波コイルに関する情報を容易にユーザに伝えることができる磁気共鳴イメージング装置を提供する。【解決手段】磁気共鳴イメージング装置は、架台８と、複数のポート９ｂと、絞り込み部と、表示制御部とを備える。架台は、被検体Ｓからの磁気共鳴信号を収集する。複数のポートは、磁気共鳴信号を受信する高周波コイルの接続先として指定可能である。絞り込み部は、第１の検査と第１の検査の次に実施される第２の検査との間に、撮像条件に応じて、複数のポートの中から、第２の検査において用いられる高周波コイルの接続先のポートを絞り込む。表示制御部は、絞り込み部により絞り込まれたポートに基づいて定まる操作手順を表示部に表示させる。【選択図】図１
2019092653.tif 000002
【特許請求の範囲】
【請求項１】
被検体からの磁気共鳴信号を収集する架台と、
前記磁気共鳴信号を受信する高周波コイルの接続先として指定可能な複数のポートと、
第１の検査と当該第１の検査の次に実施される第２の検査との間に、撮像条件に応じて、前記複数のポートの中から、前記第２の検査において用いられる前記高周波コイルの接続先のポートを絞り込む絞り込み部と、
前記絞り込み部により絞り込まれたポートに基づいて定まる操作手順を表示部に表示させる表示制御部と、
を備える、磁気共鳴イメージング装置。
【請求項２】
被検体からの磁気共鳴信号を収集する架台と、
前記被検体が載置される天板と、
前記磁気共鳴信号を受信する高周波コイルの接続先として指定可能な複数のポートと、
前記天板が前記架台から引き出された場合に、撮像条件に応じて、前記複数のポートの中から、前記高周波コイルの接続先のポートを絞り込む絞り込み部と、
前記絞り込み部により絞り込まれたポートに基づいて定まる操作手順を表示部に表示させる表示制御部と、
を備える、磁気共鳴イメージング装置。
【請求項３】
前記絞り込み部は、前記被検体の撮像部位及び体位を含む前記撮像条件に応じて、絞り込みを行う、請求項１又は２に記載の磁気共鳴イメージング装置。
【請求項４】
前記絞り込み部は、前記被検体の身長及び体重の少なくとも１つを含む前記撮像条件に応じて、絞り込みを行う、請求項１〜３のいずれか１つに記載の磁気共鳴イメージング装置。
【請求項５】
前記高周波コイルは、複数のコイルエレメントを備えるＰＡＣ（Phased  Array  Coil）であり、
前記絞り込み部は、パラレルイメージング法により撮像が行われる場合の前記ＰＡＣのパラレルイメージング方向を含む前記撮像条件に応じて、絞り込みを行う、請求項１〜４のいずれか１つに記載の磁気共鳴イメージング装置。
【請求項６】
前記絞り込み部は、前記第２の検査の対象の被検体を示す被検体モデルの配置、及び、前記複数のポートのうちのいずれかのポートに現に接続されている第１の高周波コイルを示す第１のコイルモデルの配置の整合性があるか否かを判定し、
前記表示制御部は、前記絞り込み部により前記整合性がないと判定された場合に、前記第１の高周波コイルを外すためのメッセージを前記表示部に表示させる、
請求項１に記載の磁気共鳴イメージング装置。
【請求項７】
前記絞り込み部は、前記天板が前記架台から引き出された場合に、前記天板が引き戻された後で実施される検査の対象となる被検体を示す被検体モデルの配置、及び、前記複数のポートのうちのいずれかのポートに現に接続されている第１の高周波コイルを示す第１のコイルモデルの配置の整合性があるか否かを判定し、
前記表示制御部は、前記絞り込み部により前記整合性がないと判定された場合に、前記第１の高周波コイルを外すためのメッセージを前記表示部に表示させる、
請求項２に記載の磁気共鳴イメージング装置。
【請求項８】
前記絞り込み部は、前記被検体モデルに合わせて前記第２の検査で用いられる第２の高周波コイルを示す第２のコイルモデルを配置した場合に、前記第１のコイルモデルと前記第２のコイルモデルとが干渉するか否かを判定し、
前記表示制御部は、前記絞り込み部により前記第１のコイルモデルと前記第２のコイルモデルとが干渉すると判定された場合に、前記第１の高周波コイルを外すためのメッセージを前記表示部に表示させる、
請求項６に記載の磁気共鳴イメージング装置。
【請求項９】
前記絞り込み部は、前記被検体モデルに合わせて前記天板が引き戻された後で用いられる第２の高周波コイルを示す第２のコイルモデルを配置した場合に、前記第１のコイルモデルと前記第２のコイルモデルとが干渉するか否かを判定し、
前記表示制御部は、前記絞り込み部により前記第１のコイルモデルと前記第２のコイルモデルとが干渉すると判定された場合に、前記第１の高周波コイルを外すためのメッセージを前記表示部に表示させる、
請求項７に記載の磁気共鳴イメージング装置。
【請求項１０】
前記絞り込み部は、前記被検体モデルを含む領域を複数の分割領域に分割し、分割領域ごとに、前記第１のコイルモデル及び前記第２のコイルモデルの存在を判定し、少なくとも１つの分割領域において、前記第１のコイルモデル及び前記第２のコイルモデルの両方が存在すると判定した場合に、前記第１のコイルモデルと前記第２のコイルモデルとが干渉すると判定する、
請求項８又は９に記載の磁気共鳴イメージング装置。
【請求項１１】
前記絞り込み部は、前記第１の高周波コイルに現に接続されている第１のポートと、前記第２のコイルモデルと接続可能なポートのうち、前記第２のコイルモデルの位置又は前記第２のコイルモデルが備えるケーブルの出口の位置に最も近い位置の第２のポートとが同一であるか否かを判定し、
前記表示制御部は、前記絞り込み部により前記第１のポートと前記第２のポートとが同一でないと判定された場合に、前記第２の高周波コイルを前記第２のポートに接続させるためのメッセージを前記表示部に表示させる、
請求項８〜１０のいずれか１つに記載の磁気共鳴イメージング装置。
【請求項１２】
前記絞り込み部は、前記第１のポートと前記第２のポートとが同一であると判定した場合に、前記第１のポートから前記第１の高周波コイルを外すことなく、前記第２のコイルモデルと接続可能な第３のポートがあるか否かを判定し、
前記表示制御部は、前記絞り込み部により前記第３のポートがあると判定された場合に、前記第２の高周波コイルを前記第３のポートに接続させるためのメッセージを前記表示部に表示させる、
請求項１１に記載の磁気共鳴イメージング装置。
【請求項１３】
前記絞り込み部は、前記第３のポートがないと判定した場合に、前記第１のポート以外に前記第１の高周波コイルと接続可能なポートがあるか否かを判定し、
前記表示制御部は、前記絞り込み部により前記第１のポート以外に前記第１の高周波コイルと接続可能なポートがあると判定された場合に、前記第１の高周波コイルを前記第１のポート以外の接続可能なポートに接続させるとともに、前記第２の高周波コイルを前記第１のポートに接続させるためのメッセージを前記表示部に表示させる、
請求項１２に記載の磁気共鳴イメージング装置。
【請求項１４】
前記表示制御部は、前記絞り込み部により前記第１のポート以外に前記第１の高周波コイルと接続可能なポートがないと判定された場合に、前記第１の高周波コイルを前記第１のポートから外すとともに、前記第２の高周波コイルを前記第１のポートに接続させるためのメッセージを前記表示部に表示させる、
請求項１２又は１３に記載の磁気共鳴イメージング装置。
【請求項１５】
前記絞り込み部は、前記第２のコイルモデルの位置又は前記ケーブルの出口からの距離が前記ケーブルの長さよりも短い範囲内に位置するポート、又は、前記第２のコイルモデルと無線により通信可能な範囲内に位置するポートを、前記第２のコイルモデルと接続可能なポートとして特定する、請求項１１〜１４のいずれか１つに記載の磁気共鳴イメージング装置。
【請求項１６】
前記絞り込み部は、更に、ポート自体の可動領域も加味して、前記第２の高周波コイルと接続可能なポートを特定する、請求項１５に記載の磁気共鳴イメージング装置。
【発明の詳細な説明】
【技術分野】
【０００１】
本発明の実施形態は、磁気共鳴イメージング装置に関する。
【背景技術】
【０００２】
静磁場中に置かれた被検体の原子核スピンをラーモア周波数（Larmor  frequency）のＲＦ（Radio  Frequency）信号で磁気的に励起し、この励起に伴って発生するＭＲ（Magnetic  Resonance）信号から画像を再構成する磁気共鳴イメージング（ＭＲＩ：Magnetic  Resonance  Imaging）装置がある。磁気共鳴イメージング装置は、高周波（Radio  Frequency）コイルを備える。高周波コイルは、例えば、寝台に備えられたポートに接続される。そして、高周波コイルは、例えば、検査ごとに付け替えられる。
【先行技術文献】
【特許文献】
【０００３】
【特許文献１】特開２０１２−２４５１７０号公報
【特許文献２】特開２０１５−４３９２０号公報
【発明の概要】
【発明が解決しようとする課題】
【０００４】
本発明が解決しようとする課題は、高周波コイルに関する情報を容易にユーザに伝えることができる磁気共鳴イメージング装置を提供することである。
【課題を解決するための手段】
【０００５】
実施形態の磁気共鳴イメージング装置は、架台と、複数のポートと、絞り込み部と、表示制御部とを備える。架台は、被検体からの磁気共鳴信号を収集する。複数のポートは、前記磁気共鳴信号を受信する高周波コイルの接続先として指定可能である。絞り込み部は、第１の検査と当該第１の検査の次に実施される第２の検査との間に、撮像条件に応じて、前記複数のポートの中から、前記第２の検査において用いられる前記高周波コイルの接続先のポートを絞り込む。表示制御部は、前記絞り込み部により絞り込まれたポートに基づいて定まる操作手順を表示部に表示させる。
【図面の簡単な説明】
【０００６】
【図１】図１は、第１の実施形態に係るＭＲＩ装置の構成例を示す図である。
【図２Ａ】図２Ａは、実施形態に係る高周波コイルの構成の一例を示す図である。
【図２Ｂ】図２Ｂは、パラレルイメージング法により撮像が行われる場合に用いられる高周波コイルの構成の一例を示す図である。
【図３】図３は、実施形態に係る複数のポートの配置の一例を示す図である。
【図４】図４は、実施形態に係る検査情報のデータ構造の一例を示す図である。
【図５】図５は、実施形態に係るＭＲＩ装置が実行する操作手順表示処理の流れを示すフローチャートである。
【図６】図６は、実施形態に係る処理回路が実行する処理の一例を説明するための図である。
【図７】図７は、実施形態に係る第１のコイルモデルと第２のコイルモデルとが干渉するか否かを判定する方法の一例を説明するための図である。
【図８】図８は、実施形態に係るステップＳ１０６で第３のポートがあると判定される場合の一例について説明するための図である。
【図９Ａ】図９Ａは、実施形態に係るステップＳ１１０の表示制御を受けたディスプレイの表示の一例を示す図である。
【図９Ｂ】図９Ｂは、実施形態に係るステップＳ１１０の表示制御を受けたディスプレイの表示の一例を示す図である。
【発明を実施するための形態】
【０００７】
以下、図面を参照しながら、各実施形態に係る磁気共鳴イメージング（Magnetic  Resonance  Imaging：ＭＲＩ）装置を説明する。なお、実施形態は、以下の実施形態に限られるものではない。また、各実施形態及び各変形例は、適宜組み合わせることができる。
【０００８】
（第１の実施形態）
図１は、第１の実施形態に係るＭＲＩ装置１００の構成例を示す図である。例えば、図１に示すように、本実施形態に係るＭＲＩ装置１００は、静磁場磁石１、傾斜磁場コイル２、傾斜磁場電源３、送信コイル４、送信回路５、受信コイル６、受信回路７、架台８、寝台９、入力インタフェース１０、ディスプレイ１１ａ，１１ｂ、記憶回路１２、及び、処理回路１３〜１６を備える。
【０００９】
静磁場磁石１は、被検体Ｓが配置される撮像空間に静磁場を発生させる。具体的には、静磁場磁石１は、中空の略円筒状（円筒の中心軸に直交する断面が楕円状となるものを含む）に形成されており、円筒内の空間に静磁場を発生させる。例えば、静磁場磁石１は、略円筒状に形成された冷却容器と、当該冷却容器内に充填された冷却材（例えば、液体ヘリウム等）に浸漬された超伝導磁石等の磁石とを有している。ここで、例えば、静磁場磁石１は、永久磁石を用いて静磁場を発生させるものであってもよい。
【００１０】
傾斜磁場コイル２は、静磁場磁石１の内側に配置されており、静磁場磁石１により形成された静磁場に傾斜磁場を重畳する。また、傾斜磁場コイル２は、被検体Ｓが配置される撮像空間に円筒内の空間に、互いに直交するＸ軸、Ｙ軸及びＺ軸の各軸に沿った傾斜磁場を発生させる。ここで、Ｘ軸、Ｙ軸及びＺ軸は、ＭＲＩ装置１００に固有の装置座標系を構成する。例えば、Ｚ軸は、傾斜磁場コイル２の円筒の軸に一致し、静磁場磁石１によって発生する静磁場の磁束に沿って設定される。また、Ｘ軸は、Ｚ軸に直交する水平方向に沿って設定され、Ｙ軸は、Ｚ軸に直交する鉛直方向に沿って設定される。
【００１１】
傾斜磁場電源３は、傾斜磁場コイル２に電流を供給することで、傾斜磁場コイル２の内側の空間に、Ｘ軸、Ｙ軸及びＺ軸それぞれに沿った傾斜磁場を発生させる。
【００１２】
このように、傾斜磁場電源３がＸ軸、Ｙ軸及びＺ軸それぞれに沿った傾斜磁場を発生させることによって、リードアウト方向、位相エンコード方向、及びスライス方向それぞれに沿った傾斜磁場を発生させることができる。リードアウト方向、位相エンコード方向、及びスライス方向それぞれに沿った軸は、撮像の対象となるスライス領域又はボリューム領域を規定するための論理座標系を構成する。なお、以下では、リードアウト方向に沿った傾斜磁場をリードアウト傾斜磁場と呼び、位相エンコード方向に沿った傾斜磁場を位相エンコード傾斜磁場と呼び、スライス方向に沿った傾斜磁場をスライス傾斜磁場と呼ぶ。
【００１３】
これらの傾斜磁場は、静磁場磁石１によって発生する静磁場に重畳され、ＭＲ（Magnetic  Resonance（磁気共鳴））信号に空間的な位置情報を付与するために用いられる。リードアウト傾斜磁場は、リードアウト方向の位置に応じてＭＲ信号の周波数を変化させることで、ＭＲ信号にリードアウト方向に沿った位置情報を付与する。また、位相エンコード傾斜磁場は、位相エンコード方向に沿ってＭＲ信号の位相を変化させることで、ＭＲ信号に位相エンコード方向の位置情報を付与する。また、スライス傾斜磁場は、撮像領域がスライス領域の場合には、スライス領域の方向、厚さ、枚数を決めるために用いられ、撮像領域がボリューム領域である場合には、スライス方向の位置に応じてＭＲ信号の位相を変化させることで、ＭＲ信号にスライス方向に沿った位置情報を付与する。
【００１４】
送信コイル４は、被検体Ｓが配置される撮像空間にＲＦ（Radio  Frequency）磁場を印加する高周波コイル（ＲＦコイル）である。送信コイル４は、送信回路５から出力されるＲＦパルス信号に基づいて、ＲＦ磁場を印加する。なお、送信コイル４は、送信の機能に限らず、ＭＲ信号の受信の機能を兼ねていてもよい。
【００１５】
送信回路５は、ラーモア周波数に対応するＲＦパルス信号を送信コイル４に出力する。
【００１６】
受信コイル６は、被検体Ｓから発せられるＭＲ信号を受信する高周波コイルである。例えば、受信コイル６は、被検体Ｓに装着され、送信コイル４によって印加されるＲＦ磁場の影響で被検体Ｓから発せられるＭＲ信号を受信する。そして、受信コイル６は、受信したＭＲ信号を受信回路７へ出力する。例えば、受信コイル６は、撮像対象の部位ごとに異なる専用のコイルとして構成される。ここで、専用のコイルとは、例えば、頭部用の受信コイル、頚部用の受信コイル、肩用の受信コイル、胸部用の受信コイル、腹部用の受信コイル、下肢用の受信コイル、脊椎用の受信コイル等である。なお、受信コイル６は、ＭＲ信号の受信の機能に限らず、送信の機能を兼ねていてもよい。また、上述した送信コイル４としての高周波コイルとは別に設けられた、被検体Ｓの近傍でＭＲ信号を受信する高周波コイルは、局所コイル（local  coil）とも呼ばれる。
【００１７】
受信コイル６は、後述する天板９ａに備えられたポート（接続ポート）９ｂに接続可能となっている。
【００１８】
図１の説明に戻り、受信回路７は、受信コイル６から出力されるＭＲ信号に基づいてＭＲ信号データを生成し、生成したＭＲ信号データを処理回路１４に出力する。
【００１９】
架台８は、被検体ＳからのＭＲ信号を収集する。架台８は、静磁場磁石１、傾斜磁場コイル２及び送信コイル４を収容している。具体的には、架台８は、円筒状に形成された中空のボアＢを有しており、ボアＢを囲むように静磁場磁石１、傾斜磁場コイル２及び送信コイル４を配置した状態で、それぞれを収容している。ここで、架台８が有するボアＢの内側の空間が、被検体Ｓの撮像が行われる際に被検体Ｓが配置される撮像空間となる。
【００２０】
なお、本実施形態では、ＭＲＩ装置１００が、略円筒状に形成された静磁場磁石１及び傾斜磁場コイル２を有する、いわゆるトンネル型の形状に構成されている場合の例を説明するが、実施形態はこれに限られない。例えば、ＭＲＩ装置１００は、被検体Ｓが配置される撮像空間を挟んで対向するように一対の静磁場磁石及び一対の傾斜磁場コイルを配置した、いわゆるオープン型の形状に構成されていてもよい。
【００２１】
寝台９は、被検体Ｓが載置される天板９ａを備え、被検体Ｓの撮像が行われる際に、架台８におけるボアＢの内側へ天板９ａを挿入する。例えば、寝台９は、長手方向が静磁場磁石１の中心軸と平行になるように設置されている。寝台９は、ＭＲＩ装置１００が設置される検査室に固定されていてもよいし、被検体を載置したまま検査室内外を行き来できるような移動型の寝台として構成してもよい。
【００２２】
また、天板９ａは、複数のポート９ｂを有する。ポート９ｂは、ＭＲ信号を受信する受信コイル６の接続先として指定可能である。ポート９ｂは、受信回路７に接続されている。すなわち、受信コイル６及び受信回路７の接続形態は、ポート９ｂを介した有線による接続（有線接続）である。ポート９ｂに接続された受信コイル６は、ＭＲ信号を受信すると、受信したＭＲ信号をポート９ｂを介して受信回路７へ出力する。また、ポート９ｂは、接続された受信コイル６を一意に識別するためのＩＤ（Identification）を、受信コイル６から読み取って、読み取ったＩＤを受信回路７へ出力する。
【００２３】
入力インタフェース１０は、操作者から各種指示及び各種情報の入力操作を受け付ける。具体的には、入力インタフェース１０は、処理回路１６に接続されており、操作者から受け取った入力操作を電気信号へ変換し処理回路１６へと出力する。例えば、入力インタフェース１０は、撮像条件や関心領域（Region  Of  Interest：ＲＯＩ）の設定等を行うためのトラックボール、スイッチボタン、マウス、キーボード、操作面へ触れることで入力操作を行うタッチパッド、表示画面とタッチパッドとが一体化されたタッチスクリーン、光学センサを用いた非接触入力インタフェース、及び音声入力インタフェース等によって実現される。なお、本明細書において、入力インタフェース１０は、マウス、キーボード等の物理的な操作部品を備えるものだけに限られない。例えば、装置とは別体に設けられた外部の入力機器から入力操作に対応する電気信号を受け取り、この電気信号を処理回路１６へ出力する処理回路も入力インタフェース１０の例に含まれる。
【００２４】
ディスプレイ１１ａ及びディスプレイ１１ｂは、各種情報及び各種画像を表示する。具体的には、ディスプレイ１１ａ及びディスプレイ１１ｂは、処理回路１６に接続されており、処理回路１６から送られる各種情報及び各種画像のデータを表示用の電気信号に変換して出力する。例えば、ディスプレイ１１ａ及びディスプレイ１１ｂは、液晶モニタやＣＲＴ（Cathode  Ray  Tube）モニタ、タッチパネル等によって実現される。
【００２５】
本実施形態では、ディスプレイ１１ｂは、架台８のフレームに備え付けられている。ディスプレイ１１ｂは、表示部の一例である。
【００２６】
記憶回路１２は、各種データを記憶する。具体的には、記憶回路１２は、ＭＲ信号データや画像データを記憶する。また、記憶回路１２は、検査情報１２ａ、被検体モデルデータベース１２ｂ、コイルモデルデータベース１２ｃ及び除外リスト１２ｄを記憶する。
【００２７】
検査情報１２ａは、検査対象の被検体Ｓに関する情報である。検査情報１２ａには、例えば、検査日時、患者（被検体）番号、撮像部位、挿入方向、体位、身長、体重、使用される受信コイル（高周波コイル）の種類、及び、後述するパラレルイメージングに関する情報などが含まれる。検査情報１２ａは、撮像条件の一例である。検査情報１２ａについては後述する。
【００２８】
被検体モデルデータベース１２ｂには、被検体Ｓを示す３次元の被検体モデルが複数登録されている。例えば、被検体モデルデータベース１２ｂには、被検体Ｓの体位、身長及び体重ごとに、被検体モデルが登録されている。
【００２９】
コイルモデルデータベース１２ｃには、受信コイル６を示す３次元のコイルモデルが複数登録されている。例えば、コイルモデルデータベース１２ｃには、受信コイル６の種類ごとに、コイルモデルが登録されている。
【００３０】
除外リスト１２ｄには、取り外しが促される受信コイル６のＩＤが登録される。
【００３１】
なお、記憶回路１２は、ポート９ｂを備える天板９ａのモデルである天板モデル、架台８のモデルである架台モデル等の各種のモデルも記憶する。
【００３２】
記憶回路１２は、例えば、ＲＡＭ（Random  Access  Memory）、フラッシュメモリ等の半導体メモリ素子やハードディスク、光ディスク等によって実現される。
【００３３】
処理回路１３は、寝台制御機能１３ａを有する。寝台制御機能１３ａは、寝台９に接続され、制御用の電気信号を寝台９へ出力することで、寝台９の動作を制御する。例えば、寝台制御機能１３ａは、入力インタフェース１０を介して、天板９ａを長手方向、上下方向又は左右方向へ移動させる指示を操作者から受け付け、受け付けた指示に従って天板９ａを移動するように、寝台９が有する天板９ａの駆動機構を動作させる。
【００３４】
処理回路１４は、実行機能１４ａを有する。実行機能１４ａは、処理回路１６から出力されるシーケンス実行データに基づいて傾斜磁場電源３、送信回路５及び受信回路７を駆動することで、各種パルスシーケンスを実行する。例えば、実行機能１４ａは、傾斜磁場電源３、送信回路５及び受信回路７それぞれに入力信号を送信することで、傾斜磁場電源３、送信回路５及び受信回路７を駆動する。
【００３５】
ここで、シーケンス実行データは、ＭＲ信号データを収集するための手順を示すパルスシーケンスを定義した情報である。具体的には、シーケンス実行データは、傾斜磁場電源３が傾斜磁場コイル２に電流を供給するタイミング及び供給される電流の大きさ、送信回路５が送信コイル４に供給するＲＦパルス信号の大きさや供給タイミング、受信回路７がＭＲ信号を検出する検出タイミング等を定義した情報である。
【００３６】
そして、実行機能１４ａは、各種パルスシーケンスを実行した結果として、受信回路７からＭＲ信号データを受信し、受信したＭＲ信号データを記憶回路１２に記憶させる。なお、実行機能１４ａによって受信されたＭＲ信号データの集合は、前述したリードアウト傾斜磁場、位相エンコード傾斜磁場、及びスライス傾斜磁場によって付与された位置情報に応じて２次元又は３次元に配列されることで、ｋ空間データとして記憶回路１２に記憶される。
【００３７】
処理回路１５は、画像生成機能１５ａを有する。画像生成機能１５ａは、記憶回路１２に記憶されたＭＲ信号データに基づいて画像を生成する。具体的には、画像生成機能１５ａは、実行機能１４ａによって記憶回路１２に記憶されたＭＲ信号データを読み出し、読み出したＭＲ信号データにフーリエ変換等の再構成処理を施すことで画像を生成する。また、画像生成機能１５ａは、生成した画像データを記憶回路１２に記憶させる。
【００３８】
処理回路１６は、主制御機能１６ａ、絞り込み機能１６ｂ及び表示制御機能１６ｃを有する。
【００３９】
主制御機能１６ａは、ＭＲＩ装置１００が有する各構成要素を制御することで、ＭＲＩ装置１００の全体制御を行う。例えば、主制御機能１６ａは、入力インタフェース１０を介して操作者から撮像条件の入力を受け付ける。そして、主制御機能１６ａは、受け付けた撮像条件に基づいてシーケンス実行データを生成し、当該シーケンス実行データを処理回路１４に送信することで、各種のパルスシーケンスを実行する。
【００４０】
絞り込み機能１６ｂは、続けて行われる２つの検査の間のタイミングで、後続する検査において用いられる受信コイル６の接続先のポートを複数のポート９ｂの中から絞り込む。例えば、第１の検査に続いて第２の検査が行われる場合は、第１の検査が終わった段階で、検査情報１２ａに応じて、複数のポート９ｂの中から、第２の検査において用いられる受信コイル６の接続先のポートが絞り込まれる。絞り込み機能１６ｂは、検査情報１２ａに応じて、絞り込みを行う。絞り込み機能１６ｂは、絞り込み部の一例である。
【００４１】
表示制御機能１６ｃは、操作者からの要求に応じて、記憶回路１２から画像データを読み出してディスプレイ１１に出力する。また、表示制御機能１６ｃは、絞り込まれたポートに基づいて定まる操作手順をディスプレイ１１ｂに表示させる。表示制御機能１６ｃは、表示制御部の一例である。
【００４２】
ここで、例えば、上述した処理回路１３〜１６は、それぞれプロセッサによって実現される。その場合に、例えば、処理回路１３〜１６が有する各処理機能は、コンピュータによって実行可能なプログラムの形態で記憶回路１２に記憶されている。各処理回路は、記憶回路１２から各プログラムを読み出して実行することで、各プログラムに対応する機能を実現する。換言すると、各プログラムを読み出した状態の各処理回路は、図１の各処理回路内に示された各機能を有することとなる。
【００４３】
また、上述した各実施形態の説明で用いた「プロセッサ」という文言は、例えば、ＣＰＵ（Central  Processing  Unit）、ＧＰＵ（Graphics  Processing  Unit）、或いは、特定用途向け集積回路（Application  Specific  Integrated  Circuit：ＡＳＩＣ）、プログラマブル論理デバイス（例えば、単純プログラマブル論理デバイス（Simple  Programmable  Logic  Device：ＳＰＬＤ）、複合プログラマブル論理デバイス（Complex  Programmable  Logic  Device：ＣＰＬＤ）、又はフィールドプログラマブルゲートアレイ（Field  Programmable  Gate  Array：ＦＰＧＡ））等の回路を意味する。ここで、記憶回路にプログラムを保存する代わりに、プロセッサの回路内にプログラムを直接組み込むように構成しても構わない。この場合には、プロセッサは回路内に組み込まれたプログラムを読み出し実行することで機能を実現する。また、本実施形態の各プロセッサは、プロセッサごとに単一の回路として構成される場合に限らず、複数の独立した回路を組み合わせて一つのプロセッサとして構成され、その機能を実現するようにしてもよい。
【００４４】
プロセッサによって実行されるプログラムは、ＲＯＭ（Read  Only  Memory）や記憶回路等に予め組み込まれて提供される。なお、このプログラムは、これらの装置にインストール可能な形式又は実行可能な形式のファイルでＣＤ（Compact  Disk）−ＲＯＭ、ＦＤ（Flexible  Disk）、ＣＤ−Ｒ（Recordable）、ＤＶＤ（Digital  Versatile  Disk）等のコンピュータで読み取り可能な記憶媒体に記録されて提供されてもよい。また、このプログラムは、インターネット等のネットワークに接続されたコンピュータ上に格納され、ネットワーク経由でダウンロードされることにより提供又は配布されてもよい。例えば、このプログラムは、上述した各機能部を含むモジュールで構成される。実際のハードウェアとしては、ＣＰＵが、ＲＯＭ等の記憶媒体からプログラムを読み出して実行することにより、各モジュールが主記憶装置上にロードされて、主記憶装置上に生成される。
【００４５】
このような構成のもと、本実施形態に係るＭＲＩ装置１００は、受信コイル６に関する情報を容易にユーザに伝えることができるように、以下で説明する処理を実行する。
【００４６】
図２Ａは、実施形態に係る受信コイル６の構成の一例を示す図である。図２に示すように、受信コイル６は、コイルエレメントが配置された筐体６ａと、ケーブル６ｃと、コネクタ６ｄとを備える。
【００４７】
ケーブル６ｃは、筐体６ａのケーブル６ｃの出口６ｂから延出するケーブルである。ケーブル６ｃの一端には、コネクタ６ｄが設けられている。
【００４８】
コネクタ６ｄは、ポート９ｂに接続可能である。コネクタ６ｄがポート９ｂに接続されることで、コイルエレメントにより受信されたＭＲ信号が、ケーブル６ｃ、コネクタ６ｄ及びポート９ｂを介して、受信回路７に送信される。
【００４９】
図２Ｂは、パラレルイメージング法により撮像が行われる場合に用いられる受信コイル６の構成の一例を示す図である。例えば、パラレルイメージング法により撮像が行われる場合に用いられる受信コイル６として、例えば、ＰＡＣ（Phased  Array  Coil）と呼ばれるコイルが用いられる。ＰＡＣは、例えば、図２Ｂに示すように、複数のコイルエレメント６ｅがアレイ状に配置されるコイルである。
【００５０】
ＰＩ方向は、パラレルイメージング時に撮像情報を間引くｋ空間上のエンコード方向のことであり、使用するＲＦコイルの配置や、シーケンス条件によって決定される。例えば、ｋ空間データを位相エンコード方向に関して間引いて収集する場合は、位相エンコード方向がＰＩ方向となる。
【００５１】
図３は、実施形態に係る複数のポート９ｂの配置の一例を示す図である。例えば、天板９ａには、図３に示すように、天板９ａの一端側（図３における上側）に、４つのポート９ｂが配置されており、他端側（図３における下側）に、５つのポート９ｂが配置される。このように、例えば、ポート９ｂと、天板９ａの概ね中央部に載置される被検体Ｓとが重ならないように、ポート９ｂが配置される。
【００５２】
図４は、実施形態に係る検査情報１２ａのデータ構造の一例を示す図である。図４に示すように、検査情報１２ａには、「検査日時」、「患者番号（ＩＤ）」、「撮像部位」、「挿入方向」、「体位」、「身長（ｃｍ）」、「体重（ｋｇ）」、「受信コイル」及び「ＰＩ方向」の各項目を含むレコードが複数登録されている。
【００５３】
「検査日時」の項目には、検査が実施される日時が登録されている。「患者番号」の項目には、検査の対象となる被検体（患者）ＳのＩＤが登録されている。「撮像部位」の項目には、検査において撮像対象の部位が登録されている。「挿入方向」の項目には、被検体Ｓが架台８に挿入される方向が登録されている。かかる方向の一例としては、ヘッドファーストやフットファーストなどが挙げられる。
【００５４】
「体位」の項目には、被検体Ｓの体位が登録されている。かかる体位の一例としては、うつ伏せ、仰向け、側臥位等が挙げられる。「身長」の項目には、被検体Ｓの身長が登録されている。「体重」の項目には、被検体Ｓの体重が登録されている。「受信コイル」の項目には、検査において用いられる受信コイル６の種類が登録されている。
【００５５】
また、検査においてパラレルイメージング法による撮像が行われる場合には、「ＰＩ方向」の項目に、上述したＰＩ方向が登録されている。例えば、同一レコードの「撮像部位」から推定される撮像シーケンスに応じて「ＰＩ方向」の項目にＰＩ方向が登録される。
【００５６】
図５は、実施形態に係るＭＲＩ装置１００が実行する操作手順表示処理の流れを示すフローチャートである。例えば、上述した第１の検査と第２の検査との間に、操作手順表示処理を実行させる指示（実行指示）が入力インタフェース１０により受け付けられると、操作手順表示処理が実行される。
【００５７】
図５に示すように、絞り込み機能１６ｂは、第２の検査の対象の被検体Ｓを示す被検体モデルの配置、及び、複数のポート９ｂのうちのいずれかのポートに現に接続されている受信コイル６（第１の高周波コイル）を示す第１のコイルモデルの配置の整合性があるか否かを判定する（ステップＳ１０１）。
【００５８】
ステップＳ１０１の具体的な処理の一例について以下説明する。例えば、絞り込み機能１６ｂは、検査情報１２ａを参照し、第２の検査に対応するレコードを特定する。以下、ステップＳ１０１で特定されたレコードを「特定レコード」と称する。
【００５９】
そして、絞り込み機能１６ｂは、特定レコードの「撮像部位」、「挿入方向」、「体位」、「身長」及び「体重」の項目に登録された第２の検査対象の被検体Ｓの撮像部位、挿入方向、体位、身長及び体重を取得する。また、絞り込み機能１６ｂは、特定レコードの「受信コイル」の項目に登録された第２の検査において用いられる受信コイル６の種類を取得する。また、絞り込み機能１６ｂは、特定レコードの「ＰＩ方向」の項目にＰＩ方向が登録されている場合には、ＰＩ方向も取得する。
【００６０】
そして、絞り込み機能１６ｂは、第２の検査の対象となる被検体Ｓの体位、身長及び体重に対応する被検体モデルを被検体モデルデータベース１２ｂから取得する。そして、絞り込み機能１６ｂは、取得した被検体モデルを、第２の検査対象の被検体Ｓの挿入方向に合わせて配置する。図６は、実施形態に係る処理回路１６が実行する処理の一例を説明するための図である。例えば、絞り込み機能１６ｂは、第２の検査対象の被検体Ｓの挿入方向が「フットファースト」である場合には、図６に示すように、被検体モデル３１の足側から架台モデル４０に挿入されるように、被検体モデル３１を天板モデル３０に載置する。
【００６１】
また、絞り込み機能１６ｂは、複数のポート９ｂのうちのいずれかのポートに現に接続されている第１の高周波コイルを示す第１のコイルモデルを配置する。ここで、絞り込み機能１６ｂは、ポート９ｂから送信される受信コイル６のＩＤから、どの受信コイル６がどのポート９ｂに現に接続されているかを把握することができる。また、絞り込み機能１６ｂは、第１の検査において用いられた撮像条件等から、現に接続されている第１の高周波コイルの位置を把握することができる。そこで、絞り込み機能１６ｂは、図６に示すように、把握している第１の高周波コイルの位置に、現に接続されている第１の高周波コイルを示す第１のコイルモデル３２を配置する。
【００６２】
なお、絞り込み機能１６ｂは、ＰＩ方向を取得済みである場合、パラレルイメージング実行時のＳＮＲが高くなる複数のコイルエレメント６ｅの方向とＰＩ方向がほぼ一致するように、第１のコイルモデル３２を配置する。一般的にはパラレルイメージング時のＳＮＲが高くなる方向は、図２Ｂに示すように、複数のコイルエレメント６ｅの長手方向６ｆとなる。
【００６３】
そして、絞り込み機能１６ｂは、被検体モデル３１の配置、及び、第１のコイルモデル３２の配置の整合性があるか否かを判定する。例えば、絞り込み機能１６ｂは、第１のコイルモデル３２により撮像可能な被検体モデル３１の部位に、第１のコイルモデル３２が配置されているか否かを判定することにより、整合性があるか否かを判定する。
【００６４】
例えば、第１のコイルモデル３２が、頭部を撮像する際に用いられる頭部用コイル（ヘッドコイル）であり、図６に示すように、被検体モデル３１の膝に第１のコイルモデル３２が配置されている場合について説明する。この場合には、第１のコイルモデル３２は膝を撮像する際に用いられるコイルモデルではないため、絞り込み機能１６ｂは、整合性がないと判定する。
【００６５】
また、例えば、第１のコイルモデル３２が、膝を撮像する際に用いられる膝用コイルであり、図６に示すように、被検体モデル３１の膝に第１のコイルモデル３２が配置されている場合について説明する。この場合には、第１のコイルモデル３２は膝を撮像する際に用いられるコイルモデルであるため、絞り込み機能１６ｂは、整合性があると判定する。
【００６６】
図５の説明に戻り、ステップＳ１０１で整合性がないと判定した場合（ステップＳ１０１：Ｎｏ）には、絞り込み機能１６ｂは、後述するステップＳ１０３に進む。
【００６７】
一方、ステップ１０１で整合性があると判定した場合（ステップＳ１０１：Ｙｅｓ）には、絞り込み機能１６ｂは、ステップＳ１０２で以下の判定を行う。例えば、絞り込み機能１６ｂは、被検体モデル３１に合わせて第２の検査で用いられる受信コイル６（第２の高周波コイル）を示す第２のコイルモデルを配置した場合に、第１のコイルモデル３２と第２のコイルモデルとが干渉するか否かを判定する（ステップＳ１０２）。
【００６８】
ステップＳ１０２の具体的な処理について以下説明する。例えば、絞り込み機能１６ｂは、ステップＳ１０１で取得した第２の検査において用いられる受信コイル６の種類に対応するコイルモデル（第２のコイルモデル）をコイルモデルデータベース１２ｃから取得する。
【００６９】
そして、絞り込み機能１６ｂは、ステップＳ１０１で取得した被検体Ｓの撮像部位に、第２のコイルモデルを配置する。そして、絞り込み機能１６ｂは、第１のコイルモデル３２と第２のコイルモデルとが干渉するか否かを判定する。
【００７０】
図７は、実施形態に係る第１のコイルモデル３２と第２のコイルモデルとが干渉するか否かを判定する方法の一例を説明するための図である。例えば、絞り込み機能１６ｂは、図７に示すように、被検体モデル３１（図６参照）を含む３次元の領域５０を複数の３次元の領域（分割領域）５１に分割する。なお、分割領域５１の水平方向の長さは、例えば、特定の受信コイル６（例えば、脊椎用コイル（スパインコイル））の１つのコイルエレメント６０ｅの水平方向の長さと略同一であってもよい。
【００７１】
そして、絞り込み機能１６ｂは、分割領域５１ごとに、第１のコイルモデル３２及び第２のコイルモデルの存在を判定する。
【００７２】
そして、絞り込み機能１６ｂは、少なくとも１つの分割領域５１において、第１のコイルモデル３２及び第２のコイルモデルの両方が存在すると判定した場合に、第１のコイルモデル３２と第２のコイルモデルとが干渉すると判定する。
【００７３】
一方、絞り込み機能１６ｂは、全ての分割領域５１のそれぞれにおいて、第１のコイルモデル３２及び第２のコイルモデルの一方のみが存在するか、又は、両方が存在しないと判定した場合に、第１のコイルモデル３２と第２のコイルモデルとが干渉しないと判定する。
【００７４】
なお、３次元の第１のコイルモデル３２と、３次元の第２のコイルモデルとが干渉するか否かを判定する場合について説明したが、干渉を判定する際に用いるコイルモデルは、３次元のモデルに限られない。例えば、コイルモデルは、２次元であってもよい。
【００７５】
第１のコイルモデル３２と第２のコイルモデルとが干渉すると判定した場合（ステップＳ１０２：Ｙｅｓ）には、絞り込み機能１６ｂは、ステップＳ１０３に進む。
【００７６】
そして、絞り込み機能１６ｂは、除外リスト１２ｄに、第１の高周波コイルを登録する（ステップＳ１０３）。除外リスト１２ｄに登録されることにより、第１の高周波コイルは、ポート９ｂから外される対象となる。そして、絞り込み機能１６ｂは、ステップＳ１０４へ進む。
【００７７】
また、第１のコイルモデル３２と第２のコイルモデルとが干渉しないと判定した場合（ステップＳ１０２：Ｎｏ）にも、絞り込み機能１６ｂは、ステップＳ１０４へ進む。この場合には、絞り込み機能１６ｂは、符号２００により示されるように、第１の高周波コイルと、第２の検査で用いられる受信コイル６（第２の高周波コイル）とを共存させることとなる。
【００７８】
そして、絞り込み機能１６ｂは、第１の高周波コイルに現に接続されているポート９ｂ（第１のポート）と、第２のコイルモデルと接続可能な１つ以上のポート９ｂのうち、第２のコイルモデルが備えるケーブルの出口の位置に最も近い位置のポート９ｂ（第２のポート）とが同一であるか否かを判定する（ステップＳ１０４）。
【００７９】
ステップＳ１０４の具体的な処理の一例について以下説明する。例えば、絞り込み機能１６ｂは、天板モデル３０（図６参照）の複数のポートのうち、第２のコイルモデルと接続可能なポートを特定する。ここでいう接続可能なポートとは、第２のコイルモデルのケーブルの出口からの距離がケーブルの長さよりも短い範囲内に位置するポート、及び、設計上、第２の高周波コイルと接続が許可されているポートに対応する天板モデル３０のポートの少なくとも一方を指す。なお、第２のコイルモデルと接続可能なポートは、第２のコイルモデルの位置（例えば、第２のコイルモデルの筐体の重心位置）からの距離がケーブルの長さよりも短い範囲内に位置するポートであってもよい。
【００８０】
そして、絞り込み機能１６ｂは、第２のコイルモデルと接続可能な１つ以上のポートのうち、第２のコイルモデルが備えるケーブルの出口の位置に最も近い位置のポートを特定する。そして、絞り込み機能１６ｂは、第２のコイルモデルが備えるケーブルの出口の位置に最も近い位置のポートに対応する第２の高周波コイルのポート９ｂを第２のポートとして特定する。
【００８１】
なお、絞り込み機能１６ｂは、第２のコイルモデルと接続可能な１つ以上のポートのうち、第２のコイルモデルの位置に最も近い位置のポートを特定し、第２のコイルモデルの位置に最も近い位置のポートに対応する第２の高周波コイルのポート９ｂを第２のポートとして特定してもよい。
【００８２】
なお、ポート９ｂ自体が所定の可動領域内で可動（移動）する場合、絞り込み機能１６ｂは、更に、ポート９ｂ自体の可動領域を加味して、第２の高周波コイルと接続可能なポート９ｂを特定してもよい。
【００８３】
そして、絞り込み機能１６ｂは、第１のポートと第２のポートとが同一であるか否かを判定する。
【００８４】
第１のポートと第２のポートとが同一でないと判定された場合（ステップＳ１０４：Ｎｏ）には、表示制御機能１６ｃは、次の表示制御を行う。例えば、表示制御機能１６ｃは、第２の高周波コイルを第２のポートに接続させるためのメッセージをディスプレイ１１ｂに表示させる（ステップＳ１０５）。例えば、第２の高周波コイルの名称が「〇〇〇コイル」であり、第２のポートの名称が「ポート××」である場合には、表示制御機能１６ｃは、「〇〇〇コイルをポート××に接続してください。」というメッセージを表示させる。そして、表示制御機能１６ｃは、操作手順表示処理を終了する。
【００８５】
なお、除外リスト１２ｄに、受信コイル６のＩＤが登録されている場合には、ステップＳ１０５において、表示制御機能１６ｃは、除外リスト１２ｄに登録されたＩＤが示す受信コイル６を第１のポートから外すメッセージもディスプレイ１１ｂに表示させる。例えば、除外リスト１２ｄに登録されたＩＤが示す受信コイル６の名称が「〇△コイル」である場合について説明する。この場合には、表示制御機能１６ｃは、「〇△コイルを外してください。」というメッセージを表示させる。
【００８６】
一方、第１のポートと第２のポートとが同一であると判定した場合（ステップＳ１０４：Ｙｅｓ）には、絞り込み機能１６ｂは、ステップＳ１０６に進む。なお、第１のポートと第２のポートとが同一であると判定した場合であっても、第１のポートに接続されている第１の高周波コイルのＩＤが除外リスト１２ｄに登録されている場合には、絞り込み機能１６ｂは、ステップＳ１０６ではなく、ステップＳ１０５に進む。
【００８７】
そして、絞り込み機能１６ｂは、第１のポートから第１の高周波コイルを外すことなく、第２のコイルモデルと接続可能なポート９ｂ（第３のポート）があるか否かを判定する（ステップＳ１０６）。
【００８８】
図８を参照して、ステップＳ１０６の処理の一例について説明する。図８は、実施形態に係るステップＳ１０６で第３のポートがあると判定される場合の一例について説明するための図である。
【００８９】
図８に示す黒塗りの四角の記号（黒四角）は、黒四角に対応する受信コイル６と、黒四角に対応するポート９ｂとが接続されていることを示す。例えば、図８の左側の黒四角は、操作手順表示処理の開始時に、ヘッドコイルと、ＩＤ「Ａ１」によって示されるポート９ｂとが接続されていることを示す。すなわち、図８の左側の黒四角は、ヘッドコイルとＩＤ「Ａ１」によって示されるポート９ｂとの関係は、第１の高周波コイルと第１のポートとの関係に対応することを示す。
【００９０】
また、図８に示す黒塗りの丸の記号（黒丸）は、黒丸に対応するポート９ｂが、黒丸に対応する第２のコイルモデルが備えるケーブルの出口の位置に最も近い位置（又は、第２のコイルモデルの位置に最も近い位置）のポート９ｂであることを示す。すなわち、黒丸に対応するポート９ｂと黒丸に対応する第２のコイルモデルとの関係は、第２のポートと第２のコイルモデルとの関係である。具体的には、図８の例では、ＩＤ「Ａ１」によって示されるポート９ｂが、膝用コイルの第２のコイルモデルが備えるケーブルの出口の位置に最も近い位置（又は、第２のコイルモデルの位置に最も近い位置）のポート９ｂであることを示す。
【００９１】
また、図８では、白抜きの四角の記号（白抜き四角）に対応するポート９ｂと、白抜き四角に対応する膝用コイルの第２のコイルモデルとの関係が、第３のポートと、第２のコイルモデルとの関係であることを示す。具体的には、図８の例では、ＩＤ「Ａ２」により示されるポート９ｂが、ＩＤ「Ａ１」により示されるポート９ｂからヘッドコイルを外すことなく、膝用コイルの第２のコイルモデルと接続可能なポートであることを示す。
【００９２】
このような図８に示す状態である場合に、絞り込み機能１６ｂは、ステップＳ１０６において、第３のポートとして、ＩＤ「Ａ２」により示されるポート９ｂがあると判定する。
【００９３】
第３のポートがあると判定された場合（ステップＳ１０６：Ｙｅｓ）には、表示制御機能１６ｃは、第２の高周波コイルを第３のポートに接続させるためのメッセージをディスプレイ１１ｂに表示させる（ステップＳ１０７）。例えば、表示制御機能１６ｃは、第２の高周波コイルの名称が「△〇コイル」であり、第３のポートの名称が「ポート×」である場合には、「△〇コイルをポート×に接続してください。」というメッセージを表示させる。そして、表示制御機能１６ｃは、操作手順表示処理を終了する。
【００９４】
このようなステップＳ１０７の処理により、図８に示す場合では、右側の黒四角により示されるように、ＩＤ「Ａ２」により示されるポート９ｂに膝用コイルがユーザにより接続される。
【００９５】
なお、除外リスト１２ｄに、受信コイル６のＩＤが登録されている場合には、ステップＳ１０７において、ステップＳ１０５と同様に、表示制御機能１６ｃは、除外リスト１２ｄに登録されたＩＤが示す受信コイル６を第１のポートから外すメッセージもディスプレイ１１ｂに表示させる。
【００９６】
一方、第３のポートがないと判定した場合（ステップＳ１０６：Ｎｏ）には、絞り込み機能１６ｂは、第１のポート以外に、第１の高周波コイルと接続可能なポートがあるか否かを判定する（ステップＳ１０８）。
【００９７】
ここでいう接続可能なポートとは、第１の高周波コイルのケーブル６ｃの出口６ｂからの距離がケーブル６ｃの長さよりも短い範囲内に位置するポート９ｂ、及び、設計上、第１の高周波コイルと接続が許可されているポート９ｂの少なくとも一方を指す。なお、第１の高周波コイルと接続可能なポートは、第１の高周波コイルの位置（例えば、第１の高周波コイルの筐体６ａの重心位置）からの距離がケーブル６ｃの長さよりも短い範囲内に位置するポート９ｂであってもよい。
【００９８】
第１のポート以外に、第１の高周波コイルと接続可能なポートがあると判定された場合（ステップＳ１０８：Ｙｅｓ）、表示制御機能１６ｃは、次の表示制御を行う。例えば、表示制御機能１６ｃは、第１の高周波コイルを第１のポート以外の接続可能なポートに接続させるとともに、第２の高周波コイルを第１のポートに接続させるためのメッセージをディスプレイ１１ｂに表示させる（ステップＳ１０９）。そして、表示制御機能１６ｃは、操作手続表示処理を終了する。
【００９９】
例えば、第１の高周波コイルの名称が「×○×コイル」であり、第２の高周波コイルの名称が「○×○コイル」であり、第１のポート以外の接続可能なポートの名称が「ポート△×」であり、第１のポートの名称が「ポート○」である場合について説明する。この場合には、ステップＳ１０９において、表示制御機能１６ｃは、「×○×コイルをポート△×に接続し、○×○コイルをポート○に接続してください。」というメッセージを表示させる。
【０１００】
なお、除外リスト１２ｄに、受信コイル６のＩＤが登録されている場合には、ステップＳ１０９において、表示制御機能１６ｃは、上述した表示制御に代えて、次の表示制御を行う。例えば、表示制御機能１６ｃは、除外リスト１２ｄに登録されたＩＤが示す受信コイル６を第１のポートから外すとともに、第２の高周波コイルを第１のポートに接続させるためのメッセージをディスプレイ１１ｂに表示させる。
【０１０１】
一方、第１のポート以外に、第１の高周波コイルと接続可能なポートがないと判定された場合（ステップＳ１０８：Ｎｏ）、表示制御機能１６ｃは、次の表示制御を行う。例えば、表示制御機能１６ｃは、第１の高周波コイルを第１のポートから外すとともに、第２の高周波コイルを第１のポートに接続させるためのメッセージをディスプレイ１１ｂに表示させる（ステップＳ１１０）。そして、表示制御機能１６ｃは、操作手続表示処理を終了する。
【０１０２】
図９Ａ及び図９Ｂは、実施形態に係るステップＳ１１０の表示制御を受けたディスプレイ１１ｂの表示の一例を示す図である。なお、ここでは、第１の高周波コイルの名称が「×××コイル」であり、第２の高周波コイルの名称が「○○○コイル」であり、第１のポートの名称が「ポート△」であるものとする。
【０１０３】
例えば、表示制御機能１６ｃは、図９Ａに示す画面をディスプレイ１１ｂに表示させる。かかる画面は、「無視」と表記されたボタン６１及び「次へ」と表記されたボタン６２を含む。また、かかる画面は、「次のコイルは○○○コイルです。×××コイルを外してください。」というメッセージを含む。
【０１０４】
×××コイルを外す意思のないユーザによりボタン６１が押下されると、表示制御機能１６ｃは、図９Ａに示す画面を閉じる。
【０１０５】
一方、×××コイルを外したユーザによりボタン６２が押下されると、表示制御機能１６ｃは、図９Ｂに示す画面をディスプレイ１１ｂに表示させる。かかる画面は、「無視」と表記されたボタン６３及び「ＯＫ」と表記されたボタン６４を含む。また、かかる画面は、「接続ポート△に接続してください。」というメッセージを含む。なお、かかる画面は、更に、第１のポートを「最適ポート」という表現で示し、第３のポートを「その他接続可能ポート」という表現で示す。
【０１０６】
ポート△に○○○コイルを接続する意思のないユーザによりボタン６３が押下されると、表示制御機能１６ｃは、図９Ｂに示す画面を閉じる。また、ポート△に○○○コイルを接続したユーザによりボタン６４が押下された場合にも、表示制御機能１６ｃは、図９Ｂに示す画面を閉じる。
【０１０７】
以上、実施形態に係るＭＲＩ装置１００について説明した。ＭＲＩ装置１００は、第２の検査で用いられる第２の高周波コイルの接続先を表示する。したがって、ＭＲＩ装置１００によれば、高周波コイルに関する情報を容易にユーザに伝えることができる。
【０１０８】
また、ＭＲＩ装置１００は、第２の高周波コイルをポート９ｂに接続する前に、接続先を表示する。したがって、ＭＲＩ装置１００によれば、高周波コイルをポートに接続した後に高周波コイルの接続先が適していないことを示す情報が表示される場合と比較して、ユーザによる高周波コイルの不要な付け替えを抑制することができる。
【０１０９】
（実施形態の第１の変形例）
なお、上述した実施形態では、第１の検査と第２の検査との間に実行指示が入力インタフェース１０により受け付けられると、操作手順表示処理が実行される場合について説明した。しかしながら、他のタイミングで操作手順表示処理が実行されてもよい。例えば、第１の検査と第２の検査との間に受信コイル６を付け替える場合には、天板９ａが架台８から所定量以上引き出される。そこで、処理回路１６は、天板９ａが架台８から所定量以上引き出されたことを検知した場合に、操作手順表示処理を実行してもよい。
【０１１０】
このような、天板９ａが架台８から引き出された場合に、操作手順表示処理が実行される変形例を、実施形態の第１の変形例として説明する。第１の変形例では、処理回路１６は、天板９ａが架台８から引き出された場合に、操作手順表示処理を実行する。
【０１１１】
したがって、第１の変形例では、絞り込み機能１６ｂは、天板９ａが架台８から引き出された場合に、撮像条件に応じて、複数のポート９ｂの中から、受信コイル６の接続先のポート９ｂを絞り込む。
【０１１２】
また、第１の変形例のステップＳ１０１では、絞り込み機能１６ｂは、天板９ａが架台８から引き出された場合に、天板９ａが引き戻された後で実施される検査（第２の検査）の対象となる被検体Ｓを示す被検体モデルの配置、及び、第１のコイルモデルの配置の整合性があるか否かを判定する。
【０１１３】
また、第１の変形例のステップＳ１０２では、絞り込み機能１６ｂは、被検体モデルに合わせて、天板９ａが引き戻された後で用いられる第２のコイルモデルを配置した場合に、第１のコイルモデルと第２のコイルモデルとが干渉するか否かを判定する。
【０１１４】
以上、実施形態の第１の変形例に係るＭＲＩ装置１００について説明した。第１の変形例に係るＭＲＩ装置１００によれば、第１の実施形態と同様に、高周波コイルに関する情報を容易にユーザに伝えることができる。
【０１１５】
（実施形態の第２の変形例）
また、上述した実施形態では、例えば、被検体モデルデータベース１２ｂに、被検体Ｓの体位、身長及び体重ごとに、被検体モデルが登録されている場合について説明した。しかしながら、被検体モデルデータベース１２ｂに、被検体Ｓの身長又は体重、若しくは、身長及び体重ごとに、被検体モデルが登録されてもよい。そこで、このような変形例を、実施形態の第２の変形例として説明する。
【０１１６】
第２の変形例では、第２の検査の対象となる被検体Ｓの被検体モデルを取得可能なように、検査情報１２ａには、身長及び体重の少なくとも１つが含まれる。例えば、被検体モデルデータベース１２ｂに、被検体Ｓの身長ごとに、被検体モデルが登録されている場合には、検査情報１２ａには、身長及び体重のうち、身長のみが含まれていればよい。
【０１１７】
また、被検体モデルデータベース１２ｂに、被検体Ｓの体重ごとに、被検体モデルが登録されている場合には、検査情報１２ａには、身長及び体重のうち、体重のみが含まれていればよい。
【０１１８】
また、被検体モデルデータベース１２ｂに、被検体Ｓの身長及び体重ごとに、被検体モデルが登録されている場合には、検査情報１２ａには、身長及び体重が含まれていればよい。
【０１１９】
第２の変形例では、絞り込み機能１６ｂは、被検体Ｓの身長及び体重の少なくとも１つを含む検査情報１２ａに応じて、絞り込みを行う。
【０１２０】
以上、実施形態の第２の変形例に係るＭＲＩ装置１００について説明した。第２の変形例に係るＭＲＩ装置１００によれば、第１の実施形態と同様に、高周波コイルに関する情報を容易にユーザに伝えることができる。
【０１２１】
（実施形態の第３の変形例）
また、上述した実施形態では、受信コイル６及び受信回路７の接続形態が、有線接続である場合について説明したが、無線接続であってもよい。そこで、受信コイル６及び受信回路７の接続形態が無線接続である変形例を、実施形態の第３の変形例として説明する。
【０１２２】
第３の変形例では、例えば、受信コイル６が無線送信器を有し、受信回路７が無線受信機を有する。受信コイル６の無線送信器は、例えば、上述した受信回路７の選択回路、前段増幅回路、位相検波回路及びアナログデジタル変換回路と同様の回路を有する。そして、受信コイル６は、上述した受信回路７と同様の方法でＭＲ信号をデジタル化してＭＲ信号データを生成する。そして、無線送信器は、生成したＭＲ信号データを無線通信により受信回路７に送信する。また、無線送信器は、受信コイル６のＩＤも、無線通信により受信回路７に送信する。なお、受信コイル６の無線送信器と、受信回路７の無線受信機との無線通信の規格として、例えば、Ｂｌｕｅｔｏｏｔｈ（登録商標）が挙げられるが、これに限定されない。受信コイル６の無線送信器と、受信回路７の無線受信機との無線通信の規格として、他の無線通信の規格が採用されてもよい。
【０１２３】
受信回路７の無線受信機が、受信コイル６の無線送信器からＭＲ信号データ及びＩＤを受信すると、受信回路７は、受信したＭＲ信号データ及びＩＤを処理回路１４に出力する。
【０１２４】
第３の変形例に係るステップＳ１０４では、絞り込み機能１６ｂは、第２のコイルモデルと無線により通信可能な範囲内に位置する天板モデル３０のポートに対応するポート９ｂを、第２のコイルモデルと接続可能なポート９ｂとして特定する。
【０１２５】
（実施形態の第４の変形例）
なお、上述した実施形態では、天板９ａが、複数のポート９ｂを有する場合について説明したが、寝台９の天板９ａ以外の部分が、複数のポート９ｂを有してもよい。例えば、天板９ａを支持する支持体にポート９ｂを設けてもよいし、架台８にポート９ｂを設けてもよい。
【０１２６】
以上説明した少なくとも１つの実施形態又は少なくとも１つの変形例によれば、高周波コイルの付け替えを容易にユーザに行わせることができる。
【０１２７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１２８】
８  架台
９ｂ  ポート
１１ｂ  ディスプレイ
１６ｂ  絞り込み機能
１６ｃ  表示制御機能
１００  ＭＲＩ装置
【図１】
2019092653.tif 000003
【図２Ａ】
2019092653.tif 000004
【図２Ｂ】
2019092653.tif 000005
【図３】
2019092653.tif 000006
【図４】
2019092653.tif 000007
【図５】
2019092653.tif 000008
【図６】
2019092653.tif 000009
【図７】
2019092653.tif 000010
【図８】
2019092653.tif 000011
【図９Ａ】
2019092653.tif 000012
【図９Ｂ】
2019092653.tif 000013